(57)【特許請求の範囲】
【請求項１】
ロール本体の表面に幅方向に延在する吸引口が備わり、かつウエブを供給しながら巻取中の紙管を回転させるバキュームロールに取り付けられる吸引制御部材であり、
前記幅方向に間隔をあけて複数の凸部が備わり、
この凸部は、前記吸引口を塞ぎ、この塞いだ部分を吸引力が作用しない非吸引部にし、
前記凸部間の凹部は、前記吸引口を塞がず、この塞がない部分を吸引力が作用する吸引部にする、
ことを特徴とする吸引制御部材。
【請求項２】
前記凹部が、
端部側の凹部の深さ≧中心側の凹部の深さ、の関係を満たす、
請求項１記載の吸引制御部材。
【請求項３】
前記凸部の前記幅方向の両端部が、所定の曲率半径の曲面である、
請求項１又は請求項２記載の吸引制御部材。
【請求項４】
前記曲率半径が、０．７５ｍｍを上回り、３．９ｍｍを下回る、
請求項３記載の吸引制御部材。
【請求項５】
ロール本体の表面に幅方向に延在する吸引口が備わり、かつウエブを供給しながら巻取中の紙管を回転させるバキュームロールの吸引構造であって、
請求項１〜４のいずれか１項に記載の吸引制御部材と、この吸引制御部材を押さえる押さえ部材と、が備わり、
この押さえ部材が、前記幅方向に延在し、かつ前記吸引口の前記幅方向に延在する両端縁の一方を構成し、
当該両端縁の他方を、前記ロール本体が構成する、
ことを特徴とするバキュームロールの吸引構造。
【請求項６】
前記吸引制御部材は、
前記凸部及び前記凹部が備わる本体部と、
この本体部から延出し、前記押さえ部材によって押さえられるつば部と、を有し、
前記吸引制御部材と前記押さえ部材との間に、前記吸引部に連通する連通空間が備わる、
請求項５記載のバキュームロールの吸引構造。
【請求項７】
ウエブを供給しながら巻取中の紙管を回転させる第１巻取ロールと、
前記巻取中の紙管を支えながら回転させる第２巻取ロールと、
前記巻取中の紙管を抑える第３巻取ロールと、
前記第１巻取ロール、前記第２巻取ロール、及び前記第３巻取ロールで囲まれた巻取空間に紙管を供給する紙管供給手段と、
が備わるウエブ巻取機であって、
前記第１巻取ロールが、ロール本体の表面に幅方向に延在する吸引口が備わるバキュームロールであり、
このバキュームロールに、請求項１〜４のいずれか１項に記載の吸引制御部材が取り付けられている、
ことを特徴とするウエブ巻取機。
【発明の詳細な説明】
【技術分野】
【０００１】
本発明は、バキュームロールに取り付けられる吸引制御部材、バキュームロールの吸引構造、及びウエブ巻取機に関するものである。
【背景技術】
【０００２】
トイレットペーパー等のウエブは、ウエブ巻取機（ワインダー）において紙管に巻き取られ、断裁されてログと呼ばれる巻物にされる。ウエブ巻取機には、ウエブを供給しながら巻取中の紙管を回転させる第１巻取ロールと、巻取中の紙管を支えながら回転させる第２巻取ロールと、巻取中の紙管を抑える第３巻取ロールと、これらの巻取ロールで囲まれた巻取空間に紙管を供給する紙管供給手段と、が備わる。第１巻取ロールとしては、例えば、ロール本体の表面に吸引口が備わるバキュームロールが使用される。バキュームロールの吸引口としては、様々なものが存在する。その１つに吸引口が、ロール本体の幅方向（以下、単に「幅方向」ともいう。）の一端から他端まで連続的に延在するものがある（例えば、特許文献１等参照。）。
【０００３】
しかるに、バキュームロールは、ウエブ巻取機が大型の場合、幅方向の長さが４ｍ以上にもなる。したがって、吸引口も長く延在することになり、延在方向（ロール本体の幅方向）に関して吸引力が不均一になる。また、吸引口が長く延在することになると、吸引を開始したり、停止したりするタイミングも、幅方向に関してずれることになる。吸引力が不均一になったり、吸引のタイミングがずれたりすると（以下、吸引力や吸引のタイミングを所望の値にしようとすることを「吸引制御」という。）、ウエブが破れたり、ウエブにしわが入ったりし、操業が不安定になる。この問題は、巻取速度が高速になればなるほど顕著なものとなる。現在では、７３０ｍ／分以上という高速での巻取りが可能になっており、より大きな問題になっている。
【先行技術文献】
【特許文献】
【０００４】
【特許文献１】特開２００１−２４７２３７号公報（図８〜図１０）
【発明の概要】
【発明が解決しようとする課題】
【０００５】
本発明が解決しようとする主たる課題は、吸引制御の幅方向に関する不均一を抑制することができるバキュームロールに取り付けられる吸引制御部材、バキュームロールの吸引構造、及びウエブ巻取機を提案することにある。
【課題を解決するための手段】
【０００６】
上記課題を解決するための手段は、次のとおりである。
（手段１）
ロール本体の表面に幅方向に延在する吸引口が備わり、かつウエブを供給しながら巻取中の紙管を回転させるバキュームロールに取り付けられる吸引制御部材であり、
前記幅方向に間隔をあけて複数の凸部が備わり、
この凸部は、前記吸引口を塞ぎ、この塞いだ部分を吸引力が作用しない非吸引部にし、
前記凸部間の凹部は、前記吸引口を塞がず、この塞がない部分を吸引力が作用する吸引部にする、
ことを特徴とする吸引制御部材。
【０００７】
（手段２）
前記凹部が、
端部側の凹部の深さ≧中心側の凹部の深さ、の関係を満たす、
前記手段１の吸引制御部材。
【０００８】
（手段３）
前記凸部の前記幅方向の両端部が、所定の曲率半径の曲面である、
前記手段１又は前記手段２の吸引制御部材。
【０００９】
（手段４）
前記曲率半径が、０．７５ｍｍを上回り、３．９ｍｍを下回る、
前記手段３の吸引制御部材。
【００１０】
（手段５）
ロール本体の表面に幅方向に延在する吸引口が備わり、かつウエブを供給しながら巻取中の紙管を回転させるバキュームロールの吸引構造であって、
前記手段１〜４のいずれか１項に記載の吸引制御部材と、この吸引制御部材を押さえる押さえ部材と、が備わり、
この押さえ部材が、前記幅方向に延在し、かつ前記吸引口の前記幅方向に延在する両端縁の一方を構成し、
当該両端縁の他方を、前記ロール本体が構成する、
ことを特徴とするバキュームロールの吸引構造。
【００１１】
（手段６）
前記吸引制御部材は、
前記凸部及び前記凹部が備わる本体部と、
この本体部から延出し、前記押さえ部材によって押さえられるつば部と、を有し、
前記吸引制御部材と前記押さえ部材との間に、前記吸引部に連通する連通空間が備わる、
前記手段５のバキュームロールの吸引構造。
【００１２】
（手段７）
ウエブを供給しながら巻取中の紙管を回転させる第１巻取ロールと、
前記巻取中の紙管を支えながら回転させる第２巻取ロールと、
前記巻取中の紙管を抑える第３巻取ロールと、
前記第１巻取ロール、前記第２巻取ロール、及び前記第３巻取ロールで囲まれた巻取空間に紙管を供給する紙管供給手段と、
が備わるウエブ巻取機であって、
前記第１巻取ロールが、ロール本体の表面に幅方向に延在する吸引口が備わるバキュームロールであり、
このバキュームロールに、前記手段１〜４のいずれかの吸引制御部材が取り付けられている、
ことを特徴とするウエブ巻取機。
【発明の効果】
【００１３】
本発明によると、吸引制御の幅方向に関する不均一を抑制することができるバキュームロールに取り付けられる吸引制御部材、バキュームロールの吸引構造、及びウエブ巻取機となる。
【図面の簡単な説明】
【００１４】
【図１】ウエブの巻取方法の説明図である。
【図２】バキュームロールの模式的な平面図である。
【図３】図２のＩＩＩ−ＩＩＩ断面図である。
【図４】図３のＩＶ−ＶＩ断面図である。
【図５】吸引制御部材の正面図である。
【図６】吸引制御部材の平面図である。
【図７】基本例に係る吸引制御部材の説明図である。
【図８】応用例に係る吸引制御部材の説明図である。
【図９】吸引制御部材及び押さえ部材を斜めから見た場合の写真である。
【図１０】吸引制御部材及び押さえ部材を正面から見た場合の写真である。
【図１１】吸引制御部材及び押さえ部材を裏面から見た場合の写真である。
【図１２】吸引制御部材及び押さえ部材を側面から見た場合の写真である。
【図１３】押さえ部材を裏面から見た場合の写真である。
【発明を実施するための形態】
【００１５】
次に、本発明を実施するための形態を説明する。
（定義・用途等）
巻取りの客体となるウエブとは、連続する帯状のシートを意味する。ウエブの坪量、密度、引裂強さ、引張強さ等の強度、等は特に限定されない。ただし、ウエブがトイレットペーパー等の薄葉紙である場合には、薄葉紙はコシが弱く、厚薄により透気性が異なるから幅方向に吸引制御が不均一になり操業に影響が生じ易い。つまり、ウエブが破れたり、ウエブにしわが入ったりしやすい。したがって、ウエブが薄葉紙である場合は、本形態が特に有用である。
【００１６】
本形態が有用であるウエブの物性を例示すると、次のとおりとなる。
坪量（ＪＩＳ  Ｐ  ８１２４：２０１１）：１１．０〜２５．０ｇ／ｍ2
紙厚（ＪＩＳ  Ｐ  ８１１１：１９９８で調湿後、ＪＩＳ  Ｐ  ８１１１：１９９８環境下において、尾崎製作所製ダイヤルシックネスゲージ ピーコックＧ型 により測定した値、１ｍ2中の任意の１０点平均）：１プライ当たり１２０〜１８０μｍ
乾燥引裂強さ（ＪＩＳ  Ｐ  ８１１３：２００６）：縦方向２２０〜３７０ｃＮ／２５ｍｍ、横方向５０〜１５０ｃＮ／２５ｍｍ
伸び率（ＪＩＳ  Ｐ  ８１１３：２００６）：１２．０〜２０．０％
【００１７】
（ウエブ巻取機）
図１に示すように、本形態のウエブ巻取機１には、第１巻取ロール１０、第２巻取ロール２０、及び第３巻取ロール３０が備わる。これら第１巻取ロール１０、第２巻取ロール２０、及び第３巻取ロール３０で囲まれた空間は、ウエブＷを紙管Ｃ（図中においては、符号Ｃ１，Ｃ２で示す。）に巻き取るための巻取空間Ｓである。なお、図中において、符号Ｃ１は先に巻取りの対象となる紙管を示し、符号Ｃ２は次に巻取りの対象となる紙管を示す。図１の（１）においては、紙管Ｃ１が巻取中、紙管Ｃ２が巻取前の状態にある。図１の（２）においては、紙管Ｃ１が巻取終了、紙管Ｃ２が巻取空間Ｓへ移動中の状態にある。図１の（３）においては、紙管Ｃ１が巻取後、紙管Ｃ２が巻取開始の状態にある。
【００１８】
（第１巻取ロール）
第１巻取ロール１０は、ウエブＷを巻取空間Ｓに供給しながら巻取中の紙管Ｃを回転させる機能を有する。第１巻取ロール１０としては、吸引構造部１０Ｘを有するバキュームロールを使用している（バキュームロールは、サクションロール等と呼ばれることもある。以下、バキュームロールと表現するときも符号１０を使用する。）。バキュームロール１０の詳細については、後述する。
【００１９】
（第２巻取ロール）
第２巻取ロール２０は、巻取中の紙管Ｃを支えながら回転させる機能を有する。第２巻取ロールは２０としては、ワインディングドラムを使用している（以下、ワインディングドラムと表現するときも符号２０を使用する。）。
【００２０】
ワインディングドラム２０は、円筒状である。ワインディングドラム２０は、軸心を中心に回転する。この軸心は、水平方向を向く。ワインディングドラム２０は、バキュームロール１０の斜め下方に位置している。ワインディングドラム２０は、バキュームロール１０との間に紙管Ｃが通るように、紙管Ｃの直径よりも広い間隔をあけて配置されている。
【００２１】
（第３巻取ロール）
第３巻取ロール３０は、巻取中の紙管Ｃを上から抑える機能を有する。第３巻取ロール３０としては、ライダーロールを使用している（以下、ライダーロールと表現するときも符号３０を使用する。）。
【００２２】
ライダーロール３０は、円筒状である。ライダーロール３０は、軸心を中心に回転する。この軸心は、水平方向を向く。ライダーロール３０は、バキュームロール１０の側方であってワインディングドラム２０の上方に位置している。ライダーロール３０は、図示しないカム等の移動手段によって、バキュームロール１０及びワインディングドラム２０に近付けたり、両者１０，２０から遠ざけたりすることができる。
【００２３】
（巻取方法）
ウエブＷは、図示しないアンワインダー等において一次原反ロールから繰り出される。繰り出されたウエブＷは、適宜、エンボスの付与、ミシン目の形成等が行われた後、ウエブ巻取機１に到達する。ウエブ巻取機１において、ウエブＷは、トゥーイングロール５０の表面に沿って流された後、バキュームロール１０の表面に沿って流されて、巻取空間Ｓに供給される。この巻取空間Ｓには、図示しない紙管供給手段によって紙管Ｃが供給される。
【００２４】
巻取空間Ｓに供給される紙管Ｃの表面には、図２中に拡大して示すように、ピック糊Ｇが帯状に塗布されている。この塗布は、紙管Ｃの周方向に、かつ複数本が紙管Ｃの幅方向（ＣＤ方向）に間隔をあけて行われている。例えば、幅１１４ｍｍの製品（トイレットロール）の場合は、ピック糊Ｇの本数は１〜２本の割合である。したがって、紙管Ｃが２０個取りの場合は、２０〜４０本のピック糊Ｇが塗布される。
【００２５】
なお、図２に示すように、バキュームロール１０のロール本体１１の表面１１Ａには、ビック糊Ｇの塗布位置に対応する位置に、窪み１１Ｂが備わると好適である。この窪み１１Ｂにより、ピック糊Ｇがバキュームロール１０に転写するのが防止される。
【００２６】
ピック糊Ｇは、紙管Ｃの幅方向（ＣＤ方向）に帯状に塗布されていてもよい。ピック糊の主成分は、例えば、水溶性高分子や変性澱粉等である。
【００２７】
巻取空間Ｓに供給されたウエブＷは、紙管Ｃに巻き取られる（巻き付けられる）。ウエブＷの巻取りが所定の段階（例えば、巻取径１００〜２００ｍｍ）になったら、ウエブＷが断裁される。この断裁は、カットオフロール４０の表面に備わる断裁刃４１が、ウエブＷの上からバキュームロール１０の表面に備わる断裁口１０Ｙに入り込む（突入する）ことで行われる。なお、カットオフロール４０は、円筒状である。カットオフロール４０は、軸心を中心に回転する。この軸心は、水平方向を向く。カットオフロール４０は、ワインディングドラム２０とは反対側のバキュームロール１０の斜め下方に位置している。ウエブＷの断裁によって、図１の（３）に示すように、ログＬが出来上がる。このログＬは、ワインディングドラム２０及びライダーロール３０によって巻取空間Ｓから排出される。
【００２８】
図１の（２）に示すように、断裁されたウエブＷのテール部分Ｗｔは、バキュームロール１０の表面に備わる吸引構造部１０Ｘに吸引される。この吸引構造部１０Ｘ及び吸引のメカニズムの詳細については、後述する。
【００２９】
ウエブＷのテール部分Ｗｔは、バキュームロール１０の表面に沿って流されて、巻取空間Ｓに供給される。図１の（３）に示すように、巻取空間Ｓに供給されたテール部分Ｗｔは、紙管Ｃの表面に塗布されたピック糊Ｇによって紙管Ｃに接着される。この接着に続いて、ウエブＷが紙管Ｃに巻き取られる。テール部分Ｗｔが紙管Ｃに接着される際に、あるいは直前に吸引構造部１０Ｘにおける吸引が止められる。バキュームロール１０の幅方向（ＣＤ方向）に関しては、この吸引停止にタイムラグが生じやすい。吸引停止にタイムラグが生じると、テール部分Ｗｔが紙管Ｃに接着される際に、ウエブＷが破れたり、ウエブＷにしわが入ったりする。この問題を解決したのが、本形態である。
【００３０】
（バキュームロール）
次に、バキュームロール１０の詳細について、説明する。
図２〜図４に模式的に示すように、バキュームロール１０は、ロール本体（いわゆるロールセル）１１及び内部ボックス１２を、主な構成要素とする。
【００３１】
ロール本体１１は、円筒状である。ロール本体１１の軸心は、水平方向を向く。ロール本体１１の幅方向（軸方向、ＣＤ方向）の長さは、例えば１．２ｍ以上、必要によっては４ｍ以上にすることができる。ロール本体１１の長さが長い場合は、本形態による効果がいかんなく発揮される。
【００３２】
ロール本体１１の表面には、吸引構造部１０Ｘが備わる。吸引構造部１０Ｘは、図２に示すように、ロール本体１１の幅方向（ＣＤ方向）の一端から他端まで延在する。吸引構造部１０Ｘの両端縁は、ロール本体１１の両端縁と一致していても、図示例のように一致していなくてもよい。吸引構造部１０Ｘの詳細については、後述する。
【００３３】
内部ボックス１２は、幅方向（ＣＤ方向）の中心部がロール本体１１の内空部に位置する。他方、内部ボックス１２は、幅方向（ＣＤ方向）の両端部がロール本体１１の両端面から延出している。内部ボックス１２は、円筒状である。ただし、内部ボックス１２の径は、ロール本体１１内（上記中心部）において広がっている。内部ボックス１２の軸心は、水平方向を向く。内部ボックス１２の軸心部には、軸方向（幅方向（ＣＤ方向））に沿う吸引路１２Ａが備わる。吸引路１２Ａは、図示しない吸引ポンプ等に接続されている。吸引路１２Ａは、連通孔１２Ｂと連通する。連通孔１２Ｂは、内部ボックス１２の径方向に延在する。連通孔１２Ｂは、内部ボックス１２の外周面１２Ｘにおいて開口する。
【００３４】
ロール本体１１及び内部ボックス１２は、同軸的な位置関係にある。ただし、ロール本体１１が軸心を中心に回転Ｒ（図３参照）するのに対し、内部ボックスは回転しない（固定）。
【００３５】
（吸引構造部）
次に、バキュームロール１０の表面に備わる吸引構造部１０Ｘについて説明する。
吸引構造部１０Ｘには、図９〜図１２に示すように、吸引制御部材６０及び押さえ部材７０が備わる。吸引構造部１０Ｘは、図３に示すように、ロール本体１１の窪んだ部分に嵌め込まれた状態にある。つまり、当該窪んだ部分の底面と、吸引制御部材６０及び押さえ部材７０の底面とが当接した状態にある。吸引制御部材６０及び押さえ部材７０をも利用して、ロール本体１１の表面に吸引口Ｄ（図２参照）が形成されている。吸引口Ｄの詳細は、後述する。
【００３６】
吸引制御部材６０は、図５及び図６に示すように、本体部６１及びつば部６５を有する。本体部６１は、帯状である。ただし、本体部６１は、上端部に凸部６２及び凹部６３が備わる。本体部６１は、吸引構造部１０Ｘの長さ、つまり、ロール本体１１の幅方向（ＣＤ方向）の一端から他端まで延在する長さを有する。本体部６１は、幅方向（ＣＤ方向）に連続する１つの部材で形成されている。ただし、本体部６１は、複数の部材が幅方向（ＣＤ方向）に連結されて形成されていてもよい。
【００３７】
つば部６５も、帯状である。つば部６５は、本体部６１と同じ長さを有する。すなわち、つば部６５は、ロール本体１１の幅方向（ＣＤ方向）の一端から他端まで延在する長さを有する。つば部６５は、幅方向（ＣＤ方向）に連続する１つの部材で形成されている。ただし、つば部６５は、複数の部材が幅方向（ＣＤ方向）に連結されて形成されていてもよい。
【００３８】
図９に示すように、つば部６５は、本体部６１の下端部から一方に延出している。したがって、本体部６１及びつば部６５は、断面がほぼＬ字状である。ただし、つば部６５は、押さえ部材７０によって吸引制御部材６０を押さえるのに必要な部位である。したがって、つば部６５は、本体部６１の下端部から両方に延出していても、本体部６１の途中から延出していてもよい。本体部６１及びつば部６５で構成される吸引制御部材６０は、帯状の部材がＬ字状に折り曲げられて形成されていても、別部材が溶接等によって連結されて形成されていてもよい。
【００３９】
押さえ部材７０は、吸引制御部材６０と同じ長さを有する。すなわち、押さえ部材７０は、ロール本体１１の幅方向（ＣＤ方向）の一端から他端まで延在する長さを有する。押さえ部材７０は、幅方向（ＣＤ方向）に連続する１つの部材で形成されている。ただし、押さえ部材７０は、複数の部材が幅方向（ＣＤ方向）に連結されて形成されていてもよい。
【００４０】
吸引制御部材６０の本体部６１に備わる凸部６２は、ロール本体１１の幅方向（ＣＤ方向）に間隔をあけて複数が備わる。相互に隣接する凸部６２の間は、それぞれが凹部６３である。凸部６２は、吸引口Ｄを塞ぎ、この塞いだ部分を吸引力が作用しない非吸引部Ｄ１として機能させる（図２参照）。凹部６３は、吸引口Ｄを塞がず、この塞がない部分を吸引力が作用する吸引部Ｄ２として機能させる（図２参照）。したがって、凸部６２及び凹部６３の存在によって、ロール本体１１の幅方向（ＣＤ方向）の一端から他端まで連続する１本であった吸引口Ｄが、複数の吸引口に分割された状態なる。この複数の吸引口は、点線状に一列に並ぶ。吸引口が点線状に並ぶと、ロール本体１１の幅方向（ＣＤ方向）に関するどの位置においても、吸引力がウエブＷに対して斜め方向に作用することがなくなり、垂直に作用するようになる。結果、ロール本体１１の幅方向（ＣＤ方向）に関する吸引力の不均一が抑制される。また、幅方向（ＣＤ方向）に関して、吸引を開始したり、吸引を停止したりするタイミングがずれ難くなる。特に吸引を停止するタイミングがずれると、ウエブＷがピック糊Ｇによって紙管Ｃに貼り付けられるタイミングもずれることになり、製品（ログＬ）の品質に大きな影響がでるため、本形態は有用である。
【００４１】
以上の効果を得るにあたっては、吸引制御部材６０を使用することなく、ロール本体１１の表面に複数の吸引口を点線状に形成するということも考えられる。しかるに、相互に隣接する吸引口の離間距離等は、ウエブＷに対する吸引の強さや、ウエブＷの物性、ウエブＷの紙管Ｃへの巻取速度等に依存する。したがって、本形態のように吸引制御部材６０を使用して、吸引部（吸引口）Ｄ２の離間距離等を容易に変更することができるようにしておくと好適である。また、凹部６３においては吸引力が作用するものの、当該凹部６３は貫通しておらず、深さを有する。後述するように、この凹部６３の深さを調節することで、吸引制御の不均一をより完全に抑制することができ、この点でも、吸引制御部材６０の使用は有用である。
【００４２】
ここで、凸部６２が吸引口Ｄを塞ぐとは、好ましくは吸引口（非吸引部Ｄ１）を透過する気体の流量が０ｍ3／分となるようにすることを意味する。ただし、気体の透過は、ウエブＷの吸引に影響がない範囲で許容することができる。この観点からすれば、ウエブＷの吸引に影響がない場合も、実質的には吸引口Ｄを塞いでいるということができる。したがって、吸引口Ｄを塞ぐとは、吸引口Ｄでの吸引を吸引制御部材の凸部６２が塞いでいる面積（Ｄ１）が、吸引口Ｄで吸引している吸引制御部材の凹部６３で開口している面積（Ｄ２）の１％以下、好ましくは０．１％以下であることを意味するものとする。
【００４３】
ところで、本形態の吸引構造部１０Ｘは、前述したように吸引力がウエブＷに対して垂直に作用することを１つの狙いとする。このような観点からは、図９、図１０、図１３に示すように、押さえ部材７０の裏面の本体部６１側の端部に、複数のスリットからなるフィン７４を設けると好適である。このフィン７４は、押さえ部材７０の幅方向（ＣＤ方向）に、凹凸が繰り返し形成されてなるものである。この各凹凸は、幅方向（ＣＤ方向）に直交する方向に延在している。したがって、この延在方向に沿って吸引部Ｄ２に作用する気体が流れるようになり、吸引力がウエブＷに対してより確実に垂直に作用するようになる。
【００４４】
以上のように、吸引制御部材６０に備わる凸部６２及び凹部６３の存在によって、吸引口Ｄは点線状に連続する複数の吸引口に分割される。しかるに、分割の基となる吸引口Ｄ自体は、図２に示すように、ロール本体１１の幅方向（ＣＤ方向）の一端から他端まで連続する１本の開口である。そして、本形態においては、吸引口Ｄの幅方向（ＣＤ方向）に延在する両端縁ＤＸ，ＤＹのうち一方の端縁ＤＸを押さえ部材７０が構成し、他方の端縁ＤＹをロール本体１１が構成する。この形態によると、押さえ部材７０を適宜変更することで、吸引口Ｄの幅（ロール本体１１の幅方向（ＣＤ方向）に直交する方向の長さ）ＤＺを変更することができる。吸引口Ｄの幅ＤＺを変更すると、吸引部Ｄ２の大きさが変わる。吸引部Ｄ２の大きさは、ウエブＷに対する吸引の強さや、ウエブＷの物性、ウエブＷの紙管Ｃへの巻取速度等の操業条件に応じて適宜変更する必要がある。したがって、本形態によると、このような操業条件の変更に対して、ロール本体１１、あるいはバキュームロール１０を変えることなく、吸引制御部材６０及び押さえ部材７０を変えるのみで、柔軟に対応することができる。
【００４５】
吸引構造部１０Ｘは、内部ボックス１２の吸引路１２Ａ及び連通孔１２Ｂ、並びにロール本体１１に形成された貫通孔１１Ｃ（図３参照）と連通する。以下、この連通形態を、詳細に説明する。
まず、図９、図１２に示すように、押さえ部材７０は、吸引制御部材６０を構成する本体部６１側の端面７１が吸引口から内側方向に傾斜している。端面７１は、上端部（ロール本体１１の周面側端部）において吸引制御部材の本体部６１に当接し、下端部（ロール本体１１の軸心側端部）において吸引制御部材の本体部６１から離間している。これにより、押さえ部材７０と吸引制御部材６０との間が、つまり端面７１、本体部６１、及びつば部６５で囲まれた部位が空間（以下、「連通空間」という。）７０Ａになっている。この連通空間７０Ａは、ロール本体１１の幅方向（ＣＤ方向）に延在する。連通空間７０Ａの断面形状は、三角形状である。連通空間７０Ａは、吸引部Ｄ２及びロール本体１１の貫通孔１１Ｃに連通する。
【００４６】
一方、図１３に示すように、押さえ部材７０は、裏面の本体部６１側の部位が凹んでいる（以下、この凹んだ部分を「凹み部」といい、符号７２で示す。）。凹み部７２は、ロール本体１１の幅方向（ＣＤ方向）に延在している。凹み部７２には、つば部６５が嵌まり込む。凹み部７２には、ロール本体１１の幅方向（ＣＤ方向）に所定の間隔をあけて（例えば、５０〜２００ｍｍ）垂直穴７３が形成されている。凹み部７２はつば部６５と当接しているが、垂直穴７３はつば部６５と当接していない。つまり、垂直穴７３は、凹み部７２よりも更に凹んでいる。垂直穴７３は、凹み部７２よりも、本体部６１とは反対側へ延出している（以下、この延出する部分を「延出部」といい、符号７３Ａで示す。）。図１１に示すように、垂直穴７３の延出部７３Ａは、つば部６５によって覆われておらず、内部ボックス１２側の面に露出している。延出部７３Ａは、平面視で半円状である。垂直穴７３のつば部６５で覆われた部分は、平面視で四角形状である。延出部７３Ａは、ロール本体１１の貫通孔１１Ｃを介して、内部ボックス１２の連通孔１２Ｂと連通する。
【００４７】
以上により、吸引ポンプ等によって吸引されて吸引路１２Ａ内が負圧になると、連通孔１２Ｂ、貫通孔１１Ｃ、延出部７３Ａ、及び連通空間７０Ａを通して、吸引口Ｄの吸引部Ｄ２に吸引力が作用する。結果、ウエブＷが、ロール本体１１の表面に引き寄せられる。
【００４８】
次に、凸部６２及び凹部６３の形状等について、２つの例（基本例及び応用例）を対比しながら、説明する。なお、図７に基本例を、図８に応用例を、それぞれ示す。
【００４９】
図７に示すように、基本例の凸部６２は、凹部６３と隣接する両端（ロール本体１１の幅方向（ＣＤ方向）に関する両端）６２Ｘが、直角になっている。これに対し、図８に示すように、応用例の凸部６２は、凹部６３と隣接する両端６２Ｘが、所定の曲率半径の曲面になっている。この曲率半径は、０．７５ｍｍを上回り、３．９ｍｍを下回るのが好ましく、０．７６〜３．８ｍｍであるのがより好ましく、０．８９〜２．５ｍｍであるのが更に好ましく、１．０〜２．０ｍｍであるのが特に好ましい。曲率半径が０．７５ｍｍ以下であると、凸部６２のウエブＷに対する密着性が悪く、幅方向（ＣＤ方向）に関して吸引が安定しない。他方、曲率半径が３．９ｍｍ以上であると、凸部６２とウエブＷとの間において吸引ロスが生じやすく、幅方向ＣＤに関して吸引が安定しない。
【００５０】
基本例の凹部６３の深さＬ１は、すべてが同一（例えば、４〜６ｍｍ）である。これに対し、応用例の凹部６３の深さは、幅方向（ＣＤ方向）に関して相互に隣接する凹部６３の深さが「端部側の凹部６３の深さ≧中心側の凹部６３の深さ」の関係を満たす。図８の例では、Ｌ４≧Ｌ３≧Ｌ２の関係にある。つまり、すべての凹部６３の深さが同一というわけではなく、幅方向（ＣＤ方向）に関して、端部側から中心部側に向けて凹部６３が浅くなる。このように凹部６３の深さを変化させることで、幅方向（ＣＤ方向）に関する吸引制御の不均一が抑制される。
【００５１】
中心部における凹部６３の深さ（Ｌ２）は、例えば２．０〜６．０ｍｍ、好ましくは３．０〜５．０ｍｍ、より好ましくは３．５〜４．５ｍｍである。また、端部における凹部６３の深さ（Ｌ４）は、例えば４．０〜８．０ｍｍ、好ましくは４．５〜７．５ｍｍ、より好ましくは５．０〜７．０ｍｍである。さらに、端部及び中心部における凹部６３の深さの差（Ｌ４−Ｌ２）は、例えば１〜４ｍｍ、好ましくは１．２５〜３．５ｍｍ、より好ましくは１．５〜３．０ｍｍである。なお、複数の凸部６２の先端縁は、ロール本体１１の表面と面一である。
【００５２】
なお、凹部６３の幅は、例えば３０〜１２０ｍｍ、好ましくは３０〜８０ｍｍ、より好ましくは４０〜５０ｍｍである。また、凸部６２の幅は、例えば５〜３０ｍｍ、好ましくは７〜２０ｍｍ、より好ましくは８〜１５ｍｍである。
【産業上の利用可能性】
【００５３】
本発明は、バキュームロールに取り付けられる吸引制御部材、バキュームロールの吸引構造、及びウエブ巻取機として適用可能である。
【符号の説明】
【００５４】
１…ウエブ巻取機、１０…第１巻取ロール（バキュームロール）、１０Ｘ…吸引構造部、１０Ｙ…断裁口、１１…ロール本体、１１Ａ…表面、１１Ｂ…窪み、１１Ｃ…貫通孔、１２…内部ボックス、１２Ａ…吸引路、１２Ｂ…連通孔、１２Ｘ…外周面、２０…第２巻取ロール（ワインディングロール）、３０…第３巻取ロール（ライダーロール）、４０…カットオフロール、４１…断裁刃、５０…トゥーイングロール、６０…吸引制御部材、６１…本体部、６２…凸部、６２Ｘ…両端、６３…凹部、６５…つば部、７０…押さえ部材、７０Ａ…連通空間、７１…端面、７２…凹み部、７３…垂直穴、７３Ａ…延出部、Ｃ，Ｃ１，Ｃ２…紙管、Ｄ…吸引口、Ｄ１…非吸引部、Ｄ２…吸引部、ＤＸ…吸引口の一方の端縁、ＤＹ…吸引口の他方の端縁、ＤＺ…吸引口の幅、Ｇ…ピック糊、Ｌ…ログ、Ｒ…回転、Ｓ…巻取空間、Ｗ…ウエブ、Ｗｔ…テール部分。
【図１】
0006566815.tif 000002
【図２】
0006566815.tif 000003
【図３】
0006566815.tif 000004
【図４】
0006566815.tif 000005
【図５】
0006566815.tif 000006
【図６】
0006566815.tif 000007
【図７】
0006566815.tif 000008
【図８】
0006566815.tif 000009
【図９】
0006566815.tif 000010
【図１０】
0006566815.tif 000011
【図１１】
0006566815.tif 000012
【図１２】
0006566815.tif 000013
【図１３】
0006566815.tif 000014